(57)【要約】【課題】カラスを含む帯電感覚を有する鳥獣からの、電柱への営巣等の被害を防ぐとともに、忌避効果を持続することができる鳥獣忌避装置を提供する。【解決手段】金属製の薄膜片２１が複数配設され放電可能な放電体２０が、放電体２０を放電させる放電制御手段３０によって、放電体２０を放電させることによって、カラスを含む帯電感覚を有する鳥獣を刺激するという方法により、放電の気中伝達速度の高い速度からカラスに当該装置および方法を特定することができないことにより、忌避効果を持続させることができる。【選択図】図１
2020092629.tif 000002
【特許請求の範囲】
【請求項１】
導電素材の薄膜片が複数配設され全域方向もしくは一定方向に放電可能な放電体と、
定期もしくは不定期のタイミングで前記放電体を放電させる放電制御手段と、
を備え、前記放電体を放電させることで、カラスを含む帯電感覚を有する鳥獣を刺激する、
ことを特徴とする鳥獣忌避装置。
【請求項２】
前記鳥獣を検知する検知手段を備え、
前記放電制御手段は、前記検知手段で前記鳥獣が検知されると前記放電体を放電させる、
ことを特徴とする請求項１に記載の鳥獣忌避装置。
【請求項３】
前記放電制御手段は、前記薄膜片に電荷を付与することで前記放電体を放電させる、
ことを特徴とする請求項１または２のいずれか１項に記載の鳥獣忌避装置。
【請求項４】
前記放電制御手段は、前記放電体が揺れることによって、前記薄膜片が擦れあうことで、前記薄膜片に帯電した電荷を放電させる、
ことを特徴とする請求項１または２のいずれか１項に記載の鳥獣忌避装置。
【請求項５】
導電素材の薄膜片が複数配設され放電可能な放電体と、
犬を含む動物に前記放電体を取り付けるための取付体と、
を備え、前記動物が動くことに伴って前記放電体が揺れることで、前記薄膜片に帯電した電荷を放電させて、カラスを含む帯電感覚を有する鳥獣を刺激する、
ことを特徴とする鳥獣忌避装置。
【請求項６】
前記放電体は、
プラス帯電しやすい素材からなるプラス帯電部材と、
マイナス帯電しやすい素材からなるマイナス帯電部材、
を備え、
前記プラス帯電部材と前記マイナス帯電部材とが摺動可能な状態で取付けられており、
前記プラス帯電部材と前記マイナス帯電部材とが摺動することで、
前記プラス帯電部材または前記マイナス帯電部材のいずれかに複数配設された前記導電素材の薄膜片から電荷を放電させて、カラスを含む帯電感覚を有する鳥獣を刺激する、
ことを特徴とする請求項５に記載の鳥獣忌避装置。
【発明の詳細な説明】
【技術分野】
【０００１】
本発明は、カラスなどの帯電感覚を有する鳥獣による有害行動を防止するための鳥獣忌避装置に関する。
【背景技術】
【０００２】
カラス等の鳥獣による、ゴミ集積所のゴミあさりや、農作物への食害など、被害への対策は永年の課題となっている。特に電力事業者等にあっては、カラスによって電柱等に営巣されると、巣が電線に触れて停電を引き起こす恐れがあるため、巣を撤去しなければならず、多大な労力を要している。
【０００３】
従来、カラスの電柱等への営巣や農地の食害、ごみ集積所のごみをあさるなどの行動を防ぐため、様々な忌避手段が施されている。例えば、従来の忌避手段には、光が反射するテープ等が揺れ動いてカラスを忌避する鳥害防止具や、透明か半透明の線体がテープ状の支持体に多数取り付けられていて、それらが揺れ動くことでカラスを忌避する装置がある（特許文献１参照）。カラスに似せたものを設置して他のカラスがいると錯覚させ、カラス等の鳥獣を近づけさせない方法などもある（特許文献２参照）。また、音を発して驚かせて鳥獣を忌避する装置も一般に知られている。あるいは、カラスが嫌うとされる磁気を発する磁石を使ったものや（特許文献３参照）、カプサイシンなどの忌避剤を用いた忌避装置もある。
【先行技術文献】
【特許文献】
【０００４】
【特許文献１】特許第３５４０２７０号公報
【特許文献２】特開２００５−０５８０９２号公報
【特許文献３】特許第５７６７７６７号公報
【発明の概要】
【発明が解決しようとする課題】
【０００５】
従来の対策では、カラスが嫌がる光の乱反射を利用したものだと、反射材がキラキラ、ピカピカしたものが景観を損なうという問題があった。また、音を発して驚かせる手段だと、発する音が騒音となってしまう問題があった。磁力を利用したものや、忌避剤を用いたもの等によるカラス撃退対策では、近年特に問題となっている、カラスがペットや家畜などと襲う被害の対策としては、ペット等にも悪影響が及ぶことが懸念されるという問題があった。
【０００６】
とりわけ、カラスは知能が高いことが知られており、従来の忌避装置および方法のうち、見えるもの、聞こえるもの、臭うものおよび触るものは、カラスが装置および方法を特定できるため、時間の経過とともに徐々に近づき、設置してしばらくすると、カラスが危害を受けないと認識するため、忌避効果が低減し、効果が長続きしないという問題があった。
【０００７】
本発明は、上記カラスの習性を利用し、上記課題を解決するために、設置コストやランニングコストが低廉でありながら、広範囲に効果を有し、忌避効果が持続する鳥獣忌避装置を提供することを目的とする。
【０００８】
一方、授産施設においては障がいを抱える方々にとって実施可能な作業が限られること等から、作業所の健全な経営に必要な作業が確保できず、経営破たんする作業所が発生する等の社会問題が発生している。当技術のうち障がいを抱える方々にとって実施可能な作業を確保することを目的とする。
【課題を解決するための手段】
【０００９】
このような課題に取り組むべく、発明者は、カラスの生態について調査したところ、カラスの鼻毛の毛根周囲には規則的に並んだ感覚受容体があり、その受容体が帯電等による感覚を受容していることが専門家により指摘されていることを知った。そこで、発明者らがカラスに対して放電照射を与える実験を行ったところ、水浴び等により鼻毛が濡れ帯電しにくくなっているカラスを除き、通常の状態のカラスが放電を嫌がり、逃飛行動をとることが確認された。また、実験結果の考察により、カラスが嫌うのは電位の立ち上がり速度の速いスパイク状の放電であることがわかった。また、子ども連れのカラスのつがいは、子どもを置き去りにしてまで逃飛行動はとらないことも確認された。このことから、この方法が鳥獣保護法に抵触する鳥獣の損傷にはならないことがわかった。
【００１０】
一方、導電素材の薄膜片は電気抵抗が低下する等の特性を有し、電気抵抗が少なく、電子の動きが抑制されにくい導電素材の薄膜片の端部からは電子の放出（放電）がなされやすいという特性を有する。これは、導電素材の薄膜片の光沢を有する表面の原子配列が一様となっていることにより生じると考えられるが、その特性から導電素材の薄膜片を用いることでカラスが嫌う放電をおこなえることがわかった。
【００１１】
このようなカラスの習性と導電素材の薄膜片の特性を利用し、上記課題を解決するために、請求項１の発明は、導電素材の薄膜片が複数配設され、全域方向もしくは一定方向に放電可能な放電体により、カラスを含む帯電感覚を有する鳥獣を刺激する、ことを特徴とする。
【００１２】
この発明によれば、鳥獣忌避装置の放電体から、カラスを含む帯電感覚を有する鳥獣が嫌がる放電がなされる。
【００１３】
請求項２の発明は、請求項１に記載の鳥獣忌避装置において、前記鳥獣を検知する検知手段を備え、前記放電制御手段は、前記検知手段で前記鳥獣が検知されると前記放電体を放電させる、ことを特徴とする。
【００１４】
請求項３の発明は、請求項１または請求項２のいずれか１項に記載の鳥獣忌避装置において、前記放電制御手段は、前記薄膜片にマイナスの電位を付与することで前記放電体を放電させる、ことを特徴とする。
【００１５】
請求項４の発明は、請求項１または請求項２のいずれか１項に記載の鳥獣忌避装置において、前記放電制御手段は、前記放電体が揺れることに伴って、前記薄膜片が擦れあうことで、前記薄膜片に帯電した電荷を放電させる、ことを特徴とする。
【００１６】
請求項５の発明は、導電素材の薄膜片が複数配設され放電可能な放電体と、犬を含む動物に放電体を取り付けるための取付体と、を備え、前記動物が動くことに伴って前記放電体が揺れることで、前記薄膜片に帯電した電荷を放電させてカラスを含む帯電感覚を有する鳥獣を刺激することを特徴とする。
【００１７】
請求項６の発明は、請求項５に記載の鳥獣忌避装置において、前記放電体は、プラス帯電しやすい素材からなるプラス帯電部材と、マイナス帯電しやすい素材からなるマイナス帯電部材と、を備え、前記プラス帯電部材と前記マイナス帯電部材とが摺動可能な状態で取付けられており、前記プラス帯電部材と前記マイナス帯電部材とが摺動することで、前記プラス帯電部材または前記マイナス帯電部材のいずれかに配設された前記導電素材の薄膜片から電荷を放電させて、カラスを含む帯電感覚を有する鳥獣を刺激する、ことを特徴とする。
【発明の効果】
【００１８】
請求項１に記載の発明によれば、カラスが、電位の立ち上がり速度が速いスパイク状の放電を嫌がる習性を利用し、放電体を放電させることにより、当該鳥獣忌避装置の近傍にいるカラスを含む帯電感覚を有する鳥獣を刺激し、放電区域から排除し、もしくは放電区域に留まることを防ぐことができる。そのため、被害が予想される場所もしくはその周辺に当該鳥獣忌避装置からの放電を行うことで、前記鳥獣の被害を効果的に防止することができる。また、放電はカラスの帯電感覚を刺激するものの、その気中伝達速度の速さからカラスは当該装置および方法を特定することができないことから、忌避効果が持続する。
【００１９】
また、全域方向もしくは一定方向に放電可能な放電体は、導電素材の薄膜片を複数配設するだけであるため、構成が簡易となり、授産施設で制作することが可能となるとともに、製作費や保守費などを低減することが可能である。
【００２０】
請求項２の発明によれば、鳥獣を検知したときだけ適時に放電させることができる。それによって、忌避効果を向上できるとともに、前記鳥獣が刺激に慣れることを防ぎ、忌避効果を維持することができる。
【００２１】
請求項３の発明によれば、前記薄膜片に積極的にマイナスの電位を付与するため、忌避効果に適した電荷を付与して放電させることができる。そのことによって、効率的に忌避効果を発揮することが可能となる。
【００２２】
請求項４の発明によれば、風等の作用により前記放電体が揺れることで、前記薄膜片に静電気が発生し、前記薄膜片から放電させることができるので、電荷を積極的に付与する装置を実装しなくても、放電させることができ、省コストや設置の手間の軽減が期待できる。
【００２３】
請求項５の発明によれば、犬などの動物に鳥獣忌避装置を取り付け、当該動物の動きによって放電させて、カラスを含む帯電感覚を有する鳥獣に刺激を与えるので、当該鳥獣忌避装置を取り付けた当該動物に、前記鳥獣が近づくことがなく、当該動物が、前記鳥獣から襲われることを防ぐことができる。
【００２４】
また、犬を含む動物に放電可能な放電体を取り付けるための取付体の構成は簡易であるため、授産施設で制作することが可能となるとともに、製作費や保守費などを低減することが可能である。
【００２５】
請求項６の発明によれば、犬などの動物に鳥獣忌避装置を取り付け、当該動物の動きに伴い、プラス帯電部材とマイナス帯電部材とが摺動することによって放電体を放電させるので、より効率よく放電させることができ、確実にカラスを含む帯電感覚を有する鳥獣に刺激を与えるので、当該鳥獣忌避装置を取り付けた当該動物に、前記鳥獣が近づくことがなく、当該動物が、前記鳥獣から襲われることを防ぐことができる。
【図面の簡単な説明】
【００２６】
【図１】この発明の実施の形態１に係わる鳥獣忌避装置を概略的に示す斜視図である。
【図２】この発明の実施の形態２に係わる鳥獣忌避装置を概略的に示す斜視図である。
【図３】この発明の実施の形態１、２における放電体の態様例（ａ）〜（ｅ）を概略的に示す斜視図である。なお、（ｅ）において放電シールド部材２３は一部を切り欠いて示している。
【図４】この発明の実施の形態３に係わる鳥獣忌避装置の斜視図である。
【図５】図４の鳥獣忌避装置の薄膜片取り付け部分の拡大斜視図である。
【図６】図４の鳥獣忌避装置を犬に使用した状態を示す斜視図である。
【発明を実施するための形態】
【００２７】
（実施の形態１）
以下、この発明を図示の実施の形態１に基づいて説明する。なお、以下に説明する実施の形態１において、忌避する対象の鳥獣としてカラスを想定したものである。
【００２８】
実施の形態１の特徴は、放電制御手段が、高電圧を発生させる回路を有すること、および、定期もしくは不定期のタイミングを、カラスを検知するタイミングとすることである。
【００２９】
図１に示すように鳥獣忌避装置１０は、導電素材からなる薄膜片２１、２１、・・・が複数配設された放電体２０と、定期もしくは不定期のタイミングで前記放電体２０を放電させる放電制御手段３０と、を備え、前記放電制御手段３０は筐体４０に収納され、該筐体４０には２本の支持柱４１、４１が離間した状態で立設されている。
【００３０】
放電体２０は、導線２２と多数の前記薄膜片２１、２１、・・・と、からなり、該薄膜片２１は、例えば、アルミ箔を細長いテープ状にした小片からなる。各薄膜片２１は、その中央部が導線２２に取り付けられ、導線２２の線方向から見て放射状になっており、導線２２と電気的導通が図られている。そして、このような薄膜片２１が多数、導線２２のほぼ全長にわたって取り付けられている。
【００３１】
放電体２０は、その導線２２の両端が、前記２本の支持柱４１、４１の上部にそれぞれ取り付けられ、導線２２に若干の弛みをもたせた状態で渡されている。このときに薄膜片２１、２１、・・・が地面や、他の設備に接することがないように設置される。
【００３２】
放電制御手段３０は、圧力を加えることで高電圧を発生させる圧電素子３１を備え、該圧電素子３１の電極３２、３２が、放電体２０の導線２２の両端にそれぞれ接続され、該圧電素子３１が発生した高電圧が放電体２０に付与されるようになっている。
【００３３】
集音マイク３３は検知手段としての鳴き声センサの一部であり、カラスの鳴き声を集音することで前記圧電素子３１が作動するようになっている。
【００３４】
なお、図示は省略したが、集音マイク３３がカラスの鳴き声を検知すると前記圧電素子３１に加圧する手段があり、この加圧により前記圧電素子３１から高電圧が発生するようになっている。
【００３５】
圧電素子３１から発生した高電圧の電荷が、電極３２、３２から導線２２に付与されると、電荷が薄膜片２１、２１、・・・に移動し、薄膜片２１、２１、・・・から放電してカラスを刺激することになる。
【００３６】
このように、この鳥獣忌避装置１０によれば、カラスの鳴き声が検知されると、放電体２０からカラスの嫌う放電がされるので、前記鳥獣忌避装置１０の周辺にカラスが近づかない。すなわち、カラスを忌避することができ、カラスからの被害を防止することができる。そして、カラスを検知したときだけ放電させるので、カラスが放電による刺激に慣れにくく、忌避効果が持続する。さらには、カラス同士のコミュニケーション手段である鳴き声を検知することによって放電することで、カラス間のコミュニケーションを阻害することになり、カラスの不快感は増すと考えられ、一層の忌避効果が期待できる。
【００３７】
なお、圧電素子３１は、放電体２０に電荷を付与するためのものであって、これに代えて、例えば電撃銃の回路に用いられるような高電圧発生装置を備えてもよいし、検知手段は集音マイク３３に限らず、近接センサやカメラによる画像認識などを採用してもよい。
【００３８】
（実施の形態２）
図２は、この発明の実施の形態２を示している。図２に示すように、鳥獣忌避装置６０は、放電体２０と放電体２０を帯電させ電荷を放射させる放電制御手段７０とからなる。
【００３９】
放電体２０は、上記実施の形態１で説明したものと同一なので、同一符号を付することによりその詳細な説明は省略する。
【００４０】
放電制御手段７０は、放電体２０に振動を加え、薄膜片２１が互いに擦れ合い帯電することで放電するようにしたもので、筐体７３に配設された振動モータ７１と、筐体７３に立設され前記放電体２０を支持する２本の支持柱７４、７４と、からなる。
【００４１】
振動モータ７１にはモータ軸に偏心した錘が固定されていて、モータの回転で偏芯錘が回転して振動が発生するようになっている。
【００４２】
筐体７３は、上筐体７３ａと下筐体７３ｂとに分割され上筐体７３ａと下筐体７３ｂとがコイル７３ｃにより結合されていて、直方体の筐体７３を成し、下筐体７３ｂに対して上筐体７３ａが振動しやすくなっていて、放電体２０の振動をより促進することができる。なお、前記振動モータ７１は上筐体７３ａの上板下面に配設されている。
【００４３】
２本の支持柱７４、７４は前記上筐体７３ａに適宜離間して立設されており、２本の支持柱７４、７４の先端間に前記放電体２０の導線２２が取り付けられている。
【００４４】
定期もしくは不定期のタイミングを取る手段は、予め設定した時刻または定時に信号を発するタイマ７２であり、設定時刻または定時に発する信号が前記放電制御手段７０に入力され、前記振動モータ７１が回転するようになっている。このようなタイマ７２は前記筐体７３内に配設されているが、上筐体７３ａまたは下筐体７３ｂのどちらに配設しても構わない。
【００４５】
また、上記定期もしくは不定期のタイミングのうち、「設定した時刻」とは例えば、カラスの行動が活発になる早朝や帰巣時刻などが考えられ、場所、時刻などを考慮すれば、効果的にカラスを忌避することができる。さらに、「定時」とは、例えば、１時間毎とか２時間毎とかで、カラスに近付いてもらいたくない場所で定期的に放電することができる。
【００４６】
この実施の形態２に係る鳥獣忌避装置６０によれば、定期もしくは不定期のタイミング、すなわちタイマ７２により予め設定された時刻または定時に振動モータ７１を回転させることで振動を発生させ、この振動が放電体２０に伝播され、薄膜片２１から放電される。
【００４７】
すなわち、振動モータ７１が回転されて振動が発生すると、この振動が上筐体７３ａ、支持柱７４を介して放電体２０に伝播され、放電体２０が振動されると薄膜片２１を揺らし、薄膜片２１が互いに擦れ合って帯電し、この帯電により薄膜片２１から放電がなされることになる。
【００４８】
しかもこの実施の形態２に係る鳥獣忌避装置６０にあっては、放電体２０を振動させることで放電させているため、実施の形態１のように高電圧を発生させる回路などは不要であり、比較的簡単な構造にすることができる。
【００４９】
また、この鳥獣忌避装置６０は定期もしくは不定期のタイミングで放電を行うようにしたので、カラスが放電による刺激に対して慣れることは少なく忌避効果を持続することができる。
【００５０】
このような鳥獣忌避装置６０は、放電体２０、放電制御手段７０、タイマ７２等の構成要素を前記筐体７３に取り付けているため、持ち運びが容易であり、カラスを近寄らせたくない場所、例えば、ゴミ集積所、作物耕作地、営巣が懸念される電柱或いはこれらの近傍に容易に設置することができる。
【００５１】
なお、この実施の形態２においては前記筐体７３を上下に分割しコイル７３ｃにより結合したものを示したが、本発明はこれに限らず、一体的な筐体にしても、振動モータ７１の振動を筐体、支持柱７４、７４、放電体２０を介して薄膜片２１に伝播することができ、薄膜片２１から放電することは可能である。
【００５２】
ところで、放電体２０は、その形状や導電素材の薄膜片２１の取り付け箇所によって、放電の方向性をもたせることができる。図３（ａ）〜（ｅ）は、放電の方向性を変えた態様の放電体２０を例示したものである。この図の鳥獣忌避装置は、導電素材の薄膜片２１、２１、・・・を複数配設した放電体２０と、放電体２０に電荷を付与する放電制御手段８０と、放電制御手段８０に給電する電源８１とからなり、アース８２に接続されている。
【００５３】
図３（ａ）は、球状体の全表面に薄膜片２１、２１、・・・を取り付けて構成された放電体２０を示す。この放電体２０によれば、全方向に放射状の放電をすることができる。
【００５４】
図３（ｂ）は、環状体の外周面に薄膜片２１、２１、・・・を取り付けて構成された放電体２０を水平に設置したものを示す。この放電体２０によれば、水平方向に放射状の放電をすることができる。
【００５５】
図３（ｃ）は、球状体の上側半分に薄膜片２１、２１、・・・を取り付けて構成された放電体２０を示す。この放電体２０によれば、上方向に放射状の放電をすることができる。
【００５６】
図３（ｄ）は、球状体の下側半分に薄膜片２１、２１、・・・を取り付けて構成された放電体２０を示す。この放電体２０によれば、下方向に放射状の放電をすることができる。
【００５７】
これらを応用して、球状体に薄膜片２１、２１、・・・を密に取り付けた箇所と、疎に取り付けた箇所とを設けた放電体２０によれば、密に取り付けた箇所にあたる方向には多くの放射状の放電をすることができる。
【００５８】
また、図３（ｅ）は、円柱状体の端部に薄膜片２１、２１、・・・を取り付けて、薄膜片２１、２１、・・・の周囲を囲うように、円筒状の放電シールド性部材２３を設置した放電体２０を示す。この放電体２０によれば、放射状に広がる放電を薄膜片２１、２１、・・・の周囲に設置した放電シールド性部材２３が遮ることで、一方向に放電することができる。
【００５９】
このように、放電体２０の形状や薄膜片２１の取り付け箇所は、設置場所や設置形態によって最適な形状を選択することができる。例えば、ある限られた１カ所だけカラスを近づけたくないといった場合には、図３（ｅ）に示す放電体２０の薄膜片取り付け箇所（放電シールド性部材２３の開口部分）を対象の場所に向けて設置すればよい。
【００６０】
（実施の形態３）
図４ないし図６は、この発明の実施の形態３を示している。図６に示すように、実施の形態３に係る鳥獣忌避装置９０は、カラスＣに襲われやすい小動物、例えば小型犬Ｄに取り付けたものである。
【００６１】
鳥獣忌避装置９０は、放電体１００と、取付体１１０とからなる。
【００６２】
放電体１００は、筒状のプラス帯電部材１０３と、丸棒状のマイナス帯電部材１０４と、マイナス帯電部材１０４の両端部に取り付けられた多数の薄膜片１０１、１０１、・・・からなる薄膜片束１０２、１０２とからなる。
【００６３】
プラス帯電部材１０３は摩擦帯電列で比較的プラスに帯電しやすいガラス製の筒部材で、マイナス帯電部材１０４は摩擦帯電列で比較的マイナスに帯電しやすい塩化ビニル棒材で構成される。プラス帯電部材１０３のガラス製の筒部材はその内径が前記マイナス帯電部材１０４の塩ビ棒の外形より僅かに大きく、また、プラス帯電部材１０３の長さはマイナス帯電部材１０４よりも短く形成されている。そして、プラス帯電部材１０３の筒内にマイナス帯電部材１０４が摺動自在に挿入されている。マイナス帯電部材１０４の両端近くの側面には、それぞれ１つ抜け止めピン１０５、１０５が取り付けられ、摺動したときにマイナス帯電部材１０４が抜け落ちることを防いでいる。
【００６４】
そして、プラス帯電部材１０３に対して、マイナス帯電部材１０４を摺動させると、静電気が発生し、プラス帯電部材１０３はプラス電荷が、マイナス帯電部材１０４はマイナス電荷がそれぞれ帯電することになる。
【００６５】
薄膜片束１０２は、上記実施の形態１および２と同様にアルミ箔を細長いテープ状にした薄膜片１０１をそれぞれの中央部で結束し、玉房状に形成して構成されている。
【００６６】
このような薄膜片束１０２、１０２はマイナス帯電部材１０４の両端に電気的導通が図られた状態で取り付けられており、プラス帯電部材１０３がマイナス帯電部材１０４に対して摺動して帯電すると、薄膜片束１０２、１０２もマイナスに帯電することになる。
【００６７】
取付体１１０は、放電体１００を小型犬Ｄに取付けるためのもので、この実施の形態３においては犬用の首輪１１０が用いられる。
【００６８】
首輪１１０は、ベルト１１１と該ベルトの両端を接続するバックル１１２とからなり、上記放電体１００はそのプラス帯電部材１０３が首輪１１０のベルト１１１に取り付けられている。このプラス帯電部材１０３の首輪１１０への取り付け方法としては、例えば、接着材が考えられる。
【００６９】
なお、この実施の形態３において、小型犬Ｄに放電体１００を取り付ける取付体として首輪１１０を例に挙げたが、本発明はこれに限らず、小型犬Ｄに取り付ける既存の首輪に放電体１００をひっかけて取り付けるフックなどであってもよい。
【００７０】
実施の形態３に係る鳥獣忌避装置９０によれば、小型犬Ｄの歩行に伴い、首輪１１０が揺れることで、マイナス帯電部材１０４がプラス帯電部材１０３に対して摺動し、これにより両部材１０３、１０４間に摩擦が生じて、静電気が発生する。この静電気により上述のように、マイナス帯電部材１０４の両端に取り付けられている薄膜片束１０２、１０２から電荷が放射されることになる。
【００７１】
そのため、小型犬Ｄが歩けば、小型犬Ｄの周囲に放電作用が働き、カラスＣが近寄ってくることはなく、小型犬ＤがカラスＣからの襲撃を受けることを防止することになる。
【００７２】
このような鳥獣忌避装置９０は、筒状部材に棒状部材を挿入し、棒状部材の両端に薄膜片束１０２を取り付けた簡易な構造のため、軽量にすることができ、小型犬Ｄへの負担が少なく、また、静電気による放電なので、小型犬Ｄへの影響も無い。
【００７３】
以上、この発明の実施の形態１、２、３について説明したが、具体的な構成は、上記の実施の形態に限られるものではなく、この発明の要旨を逸脱しない範囲の設計の変更等があっても、この発明に含まれる。例えば、導電素材の薄膜片２１、１０１としてアルミ箔を用いたが、アルミ箔による光の乱反射が起こることが好ましくない環境下に設置する場合では、アルミ箔の表面に低反射材のコーティングを施してもよい。あるいは、アルミ箔に代えて、例えば導電素材の炭素繊維シート等でも同様の効果が期待できる。実施の形態３では、小型犬Ｄに鳥獣忌避装置９０を取り付けたが、首輪１１０の設計を変更し、カラスから突かれる被害がある牛などの家畜や、ジョギングする際などのヒトの体に取り付けてもよい。
【符号の説明】
【００７４】
１０                    鳥獣忌避装置
２０                    放電体
２１                    薄膜片
３０                    放電制御手段
３１                    圧電素子
５０                    集音マイク（検知手段）
６０                    鳥獣忌避装置
７０                    放電制御手段
７１                    振動モータ
７２                    タイマ
８０                    放電制御手段
８１                    電源
８２                    アース
９０                    鳥獣忌避装置
１００                  放電体
１０１                  薄膜片
１０２                  プラス帯電部材
１０３                  マイナス帯電部材
１１０                  首輪（取付体）
【図１】
2020092629.tif 000003
【図２】
2020092629.tif 000004
【図３】
2020092629.tif 000005
【図４】
2020092629.tif 000006
【図５】
2020092629.tif 000007
【図６】
2020092629.tif 000008